(57)【要約】      （修正有）【課題】入力操作に関して使い勝手の良い運動パフォーマンスモニタリング装置を提供する。【解決手段】ランニング計測装置１０は、位置情報検出センサー２４および生体情報検出センサー２６と、入力を受け付ける操作ボタンと、処理部２０と、を含み、処理部２０は、センサーの出力に基づいて運動パフォーマンス情報を算出することと、操作ボタンが第１の入力を受け付けた場合に、運動パフォーマンス情報に関する第１の処理を実行することと、操作ボタンが第１の入力よりも操作回数が少ない第２の入力を受け付けた場合、第１の処理を実行することと、操作ボタンが第１の設定を受け付けた場合に、第２の入力に対する応答を無効にすることと、を実行する。【選択図】図２
2017127458.tif 000002
【特許請求の範囲】
【請求項１】
少なくとも１つのセンサーと、
入力を受け付ける少なくとも１つの入力部と、
プロセッサーと、を含み、
前記プロセッサーは、
前記センサーの出力に基づいて運動パフォーマンス情報を算出することと、
前記少なくとも１つの入力部が第１の入力を受け付けた場合に、運動パフォーマンス情報に関する第１の処理を実行することと、
前記少なくとも１つの入力部が前記第１の入力よりも操作回数が少ない第２の入力を受け付けた場合に、前記第１の処理を実行することと、
前記少なくとも１つの入力部が第１の設定を受け付けた場合に、前記第２の入力に対する応答を無効にすることと、を実行する、運動パフォーマンス計測装置。
【請求項２】
請求項１に記載の運動パフォーマンス計測装置において、
前記プロセッサーは、前記少なくとも１つの入力部が第２の設定を受け付けた場合に、前記応答を有効にする、運動パフォーマンス計測装置。
【請求項３】
請求項２に記載の運動パフォーマンス計測装置において、
前記第１の設定または前記第２の設定に対応するパラメーターを記憶する記憶部を更に含み、
前記プロセッサーは、
前記少なくとも１つの入力部が受け付けた前記第１の設定または前記第２の設定に応じて前記パラメーターを前記記憶部に記憶させることと、
前記少なくとも１つの入力部が前記第２の入力を受け付けた場合に、前記記憶部に記憶された前記パラメーターに基づいて前記応答が有効であるか無効であるかを判定する、運動パフォーマンス計測装置。
【請求項４】
請求項１乃至３のいずれか１項に記載の運動パフォーマンス計測装置において、
前記プロセッサーは、前記少なくとも１つの入力部が前記第１の設定を受け付けた場合であって、かつ、前記第２の入力が電源の供給に関する指示である場合には、前記電源の供給に関する指示に応じた制御を行う運動パフォーマンス計測装置。
【請求項５】
請求項１乃至４のいずれか１項に記載の運動パフォーマンス計測装置において、
前記第１の処理は、前記運動パフォーマンスに関する所定の機能を動作させること、および、前記運動パフォーマンスに関する前記所定の機能を終了させることの少なくとも一方を含む、運動パフォーマンス計測装置。
【請求項６】
請求項５に記載の運動パフォーマンス計測装置において、
階層構造を構成する第１の画面と第２の画面とを表示する表示部を更に含み、
前記所定の機能を動作させることは、前記表示部の表示を前記第１の画面から、前記第２の画面に遷移させることを含む、運動パフォーマンス計測装置。
【請求項７】
請求項５に記載の運動パフォーマンス計測装置において、
階層構造を構成する第１の画面と第２の画面とを表示する表示部を更に含み、
前記所定の機能を終了させることは、前記表示部の表示を前記第２の画面から、前記第１の画面へ遷移させることを含む、運動パフォーマンス計測装置。
【請求項８】
請求項１乃至７のいずれか１項に記載の運動パフォーマンス計測装置において、
前記センサーは、位置情報を検出する位置情報検出センサー、および、生体情報を検出する生体情報検出センサー、の少なくとも一方を含む、運動パフォーマンス計測装置。
【発明の詳細な説明】
【技術分野】
【０００１】
本発明は、運動パフォーマンス計測装置に関する。
【背景技術】
【０００２】
ＧＰＳ（Global Positioning System）衛星から送信される衛星信号を受信して位置を検出するレシーバーや心拍を計測するセンサーを装備し、トレーニングするユーザーが携帯することで、トレーニングに有益な情報を収集する運動パフォーマンスをモニターするための装置が知られている（例えば、特許文献１参照）。
一般に、このような装置はメニュー画面を表示でき、ユーザーは、メニュー画面に従い計測や情報収集に関する設定を指示する。ところが、メニューは一般に複数の画面の階層構造であるため、操作が煩雑であった。
一方、所望の設定を行うための操作をより簡単に完了させるべく、ショートカット機能を有する装置がある。
【先行技術文献】
【特許文献】
【０００３】
【特許文献１】特開２０１５−１３２６１２号公報
【発明の概要】
【発明が解決しようとする課題】
【０００４】
しかしながら、ショートカット機能は、単純な操作で運動パフォーマンスモニタリング装置に対して所望の設定を行うことができるが、ショートカットの操作と、その操作に対応する機能をユーザーが理解する必要がある。従って、運動パフォーマンスモニタリング装置の操作を習得したユーザーにとっては有益であるが、操作に不慣れなユーザーにとっては使いにくく、誤操作により運動パフォーマンスを正しく計測できないことがあった。
本発明は、上述の課題に鑑みてなされたものであり、入力操作に関して使い勝手の良い運動パフォーマンスモニタリング装置を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］  本適用例にかかる運動パフォーマンス計測装置は、少なくとも１つのセンサーと、入力を受け付ける少なくとも１つの入力部と、プロセッサーと、を含み、前記プロセッサーは、前記センサーの出力に基づいて運動パフォーマンス情報を算出することと、前記少なくとも１つの入力部が第１の入力を受け付けた場合に、運動パフォーマンス情報に関する第１の処理を実行することと、前記少なくとも１つの入力部が前記第１の入力よりも操作回数が少ない第２の入力を受け付けた場合に、前記第１の処理を実行することと、前記少なくとも１つの入力部が第１の設定を受け付けた場合に、前記第２の入力に対する応答を無効にすることと、を実行する。
【０００７】
このような構成によれば、入力部が第１の入力を受け付けた場合に実行される運動パフォーマンス情報に関する第１の処理は、入力部が第１の入力よりも操作回数が少ない第２の入力を受け付けた場合にも実行させることがでる。更に、第２の入力に対する応答は、入力部が第１の設定を受け付けた場合に無効にすることができる。従って、第１の入力よりも操作回数が少ない第２の入力を第１の設定によって無効にできるため、運動パフォーマンス計測装置の入力に関して、第２の入力が無効にできない場合と比較して、使い勝手を良くすることができる。
【０００８】
［適用例２］  上記適用例にかかる運動パフォーマンス計測装置において、前記プロセッサーは、前記少なくとも１つの入力部が第２の設定を受け付けた場合に、前記応答を有効にすることが好ましい。
【０００９】
このような構成によれば、第２の入力に対する応答は、入力部が第２の設定を受け付けた場合に有効にできるため、第２の入力に対する応答を有効にすることを入力部への入力により設定できる。
【００１０】
［適用例３］  上記適用例にかかる運動パフォーマンス計測装置において、前記第１の設定または前記第２の設定に対応するパラメーターを記憶する記憶部を更に含み、前記プロセッサーは、前記少なくとも１つの入力部が受け付けた前記第１の設定または前記第２の設定に応じて前記パラメーターを前記記憶部に記憶させることと、前記少なくとも１つの入力部が前記第２の入力を受け付けた場合に、前記記憶部に記憶された前記パラメーターに基づいて前記応答が有効であるか無効であるかを判定することが好ましい。
【００１１】
このような構成によれば、運動パフォーマンス計測装置は、第１の設定または第２の設定に応じて、第１の設定または第２の設定に対応するパラメーターを記憶部に記憶する。第２の入力を受け付けた場合に、記憶したパラメーターに基づいて第２の入力に対する応答が有効であるか無効であるかを決定するため、例えば、ユーザーが第１の設定または第２の設定を繰り返し利用する場合に使い勝手が良い。
【００１２】
［適用例４］  上記適用例にかかる運動パフォーマンス計測装置において、前記プロセッサーは、前記少なくとも１つの入力部が前記第１の設定を受け付けた場合であって、かつ、前記第２の入力が電源の供給に関する指示である場合には、前記電源の供給に関する指示に応じた制御を行うことが好ましい。
【００１３】
このような構成によれば、第２の入力が電源の供給に関する指示である場合には、第１の設定を受け付けた場合であっても、電源の供給に関する制御が行われるため、ユーザーは、第２の入力に対する応答が無効である場合でも、電源の供給に関する指示を迅速にできる。
【００１４】
［適用例５］  上記適用例にかかる運動パフォーマンス計測装置において、前記第１の処理は、前記運動パフォーマンスに関する所定の機能を動作させること、および、前記運動パフォーマンスに関する前記所定の機能を終了させることの少なくとも一方を含むことが好ましい。
【００１５】
このような構成によれば、所定の機能を動作させること、および、所定の機能を終了させることの少なくとも一方について、第２の入力に対する応答を無効にすることを、入力部への入力によって設定できる。
【００１６】
［適用例６］  上記適用例にかかる運動パフォーマンス計測装置において、階層構造を構成する第１の画面と第２の画面とを表示する表示部を更に含み、前記所定の機能を動作させることは、前記表示部の表示を前記第１の画面から、前記第２の画面に遷移させることを含むことが好ましい。
【００１７】
このような構成によれば、所定の機能が動作することは、第１の画面から第２の画面へ表示部の表示を移行させることを含む。第１の画面と第２の画面とは階層構造を構成しているので、入力部が第２の入力を受け付けた場合に実行できればユーザーの操作を簡単にできる可能性がある。一方、第１の設定によって無効にすることも可能なので、無効にできない場合と比較して、使い勝手が良い。
【００１８】
［適用例７］  上記適用例にかかる運動パフォーマンス計測装置において、階層構造を構成する第１の画面と第２の画面とを表示する表示部を更に含み、前記所定の機能を終了させることは、前記表示部の表示を前記第２の画面から、前記第１の画面へ遷移させることを含むことが好ましい。
【００１９】
このような構成によれば、所定の機能を終了することにより、表示している第２の階層画面に替えて第１の階層画面が表示部に表示される。
【００２０】
［適用例８］  上記適用例にかかる運動パフォーマンス計測装置において、前記センサーは、位置情報を検出する位置情報検出センサー、および、生体情報を検出する生体情報検出センサー、の少なくとも一方を含むことが好ましい。
【００２１】
このような構成によれば、位置情報および生体情報の少なくとも一方に基づいて、運動パフォーマンス情報を得られる。
【図面の簡単な説明】
【００２２】
【図１】実施形態に係るランニング計測装置の表示領域を含む外観図。
【図２】ランニング計測装置の機能構成を示すブロック図。
【図３】メニュー画面の遷移およびショートカット操作の一例を示す図。
【図４】ショートカットを有効にする手順を説明する図。
【発明を実施するための形態】
【００２３】
以下、本発明の実施形態について図面を参照して説明する。
【００２４】
（実施形態）
以下、実施形態に係る運動パフォーマンス計測装置について、図面を参照して説明する。
（１）ランニング計測装置の構成
図１は、運動パフォーマンス計測装置の１つであるランニング計測装置１０の表示領域の外観図である。このランニング計測装置１０は、腕時計の態様を採用し、ユーザーの腕部に装着して使用する。尚、このようなランニング計測装置１０は、「ランニングウォッチ」、「トレーニングウォッチ」、「ランナーズウォッチ」等と称されても良い。
【００２５】
ランニング計測装置１０は、不図示のベルトを介してユーザーの腕部に装着された場合、筐体部１２の裏面は腕部に密着すると共に、表示領域を有する筐体部１２の表面はユーザーから視認可能になる。筐体部１２の表面には表示パネル１４が配置され、筐体部１２の側面部には押下可能な操作ボタン（１６Ａ，１６Ｂ，１６Ｃ，１６Ｄ）が配置されている。従って、ユーザーは、ランニング計測装置１０を装着した状態で、表示パネル１４に表示される情報を視認しつつ、操作ボタン（１６Ａ，１６Ｂ，１６Ｃ，１６Ｄ）を手指で操作することができる。
【００２６】
このランニング計測装置１０は、ランニングやジョギング時におけるスプリットタイム機能やラップタイム機能、および、時間走や距離走のようなターゲット機能のようなランニング計測機能に加え、脈拍を計測する機能を備えるため、心拍トレーニングを容易に行うことができる。図１の例は、ランニングの計測を行っているときの表示の一例である。画面上段、「ＨＲ」と記載された領域には、５段階の心拍ゾーンを示す５つの丸い図形（塗りつぶされている丸が現在の心拍ゾーンである）と、心拍数（１６５ｂｐｍ、ｂｐｍはbeats per minute）とが表示されている。
また、画面中段、「ＬａｐＰａｃｅ」と記載された領域には、ランニング時に設定した区間ごとの平均ペース（この場合、１ｋｍ当たり３分３４秒）が表示されている。
また、画面下段、「Ｄｉｓｔ」と記載された領域には、計測を開始してからの合計移動距離（この場合、４２．１９５ｋｍ）が表示されている。
【００２７】
図２は、ランニング計測装置１０の機能構成を示すブロック図である。ランニング計測装置１０は、表示パネル１４、操作ボタン１６、処理部２０、近距離無線通信部２２、位置情報検出センサー２４、生体情報検出センサー２６、電源部２８および記憶部２９を備える。
【００２８】
また、処理部２０は、運動パフォーマンス算出部２００、表示画面生成部２０２、イベント動作決定部２０４、ショートカット判定部２０６、通信制御部２０８および起動制御部２１０を備える。
表示パネル１４は、表示部に相当し、例えば、液晶パネルである。
【００２９】
操作ボタン１６は、ユーザーからの操作指示を受け付ける入力部に相当し、本実施形態では、筐体部１２の側面部に配置された操作ボタン（１６Ａ，１６Ｂ，１６Ｃ，１６Ｄ）である。尚、入力部は、操作ボタン１６のみには限定せず、例えば、表示パネル１４としてタッチパネルを用い、操作ボタン１６およびタッチパネルを入力部とする態様でもよい。また、操作指示は、音声による入力や、スマートフォンのような情報端末（図示せず）から通信を介して入力する態様も想定できる。本実施形態では操作ボタン１６は４つであるが、機器の機能を実現するのに必要な入力部が少なくとも１つあればよい。
【００３０】
処理部２０は、プロセッサーに相当し、例えば、ＭＰＵ（Micro Processing Unit）、ＤＳＰ（Digital Signal Processor）、ＡＳＩＣ（Application Specific Integrated Circuit）等により構成される。処理部２０は、記憶部２９に記憶しているプログラムと、操作ボタン１６を介してユーザーが入力した操作指示と、に従い、種々の処理をハードウェアと協働することにより機能を実現する。処理部２０の各機能部の説明は後述する。
【００３１】
近距離無線通信部２２は、情報端末との間のデータ通信を成立させるための各種制御を行う。近距離無線通信部２２は、例えば、Bluetooth（登録商標）（BTLE：Bluetooth Low Energyを含む）、Ｗｉ−Ｆｉ（登録商標）（Wi-Fi：Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【００３２】
位置情報検出センサー２４は、ランニング計測装置１０の位置に関する位置情報を検出する。本実施形態では、例えば、ＧＰＳ衛星や、準天頂衛星のような測位衛星から送信される衛星信号を受信し、受信した衛星信号に基づいて現在の位置情報を公知の位置算出演算によって取得し、位置情報を含む位置信号を出力する。
【００３３】
また、位置情報検出センサー２４は、例えば、屋内においてＷｉ−Ｆｉ（登録商標）や、ｉＢｅａｃｏｎ（登録商標）等の電波に基づいて位置情報を算出しても良い。
【００３４】
生体情報検出センサー２６は、脈波を検出する脈波センサーを想定する。脈波センサーは、例えば、ＬＥＤ等の発光素子と、フォトダイオード等の受光素子とを備える。脈波センサーは、筐体部１２の裏面側に設置され、ランニング計測装置１０が装着された場合、腕部と対向する。
【００３５】
脈波センサーは、発光素子から生体に向かって出射光を照射すると共に、腕部の血管を経由して到来する反射光を受光素子により受光し、血中のヘモグロビンが光を吸収する性質により血管の拡張時と収縮時とで光の反射率が異なる現象を利用して、受光量の変動情報から脈波に応じた脈波信号を出力する。
【００３６】
また、本実施形態では、生体情報検出センサー２６として、ユーザーの体の動きに応じた体動信号を出力する加速度センサーやジャイロセンサーを更に備える。
【００３７】
電源部２８は、充電式電池のように繰り返し使用可能な二次電池を想定し、ランニング計測装置１０の動作を維持するための電力を供給する。
記憶部２９は、ＩＣメモリーなどにより構成され、プログラム等が記憶されるＲＯＭ（Read Only Memory）と、処理部２０の作業領域となるＲＡＭ（Random Access Memory）とを有する。また、ユーザーの運動パフォーマンスを算出するための設定情報や、算出した運動パフォーマンスの情報も記憶部２９に記憶される。
【００３８】
（２）処理部の機能
次に、処理部２０の各機能部について説明する。
【００３９】
運動パフォーマンス算出部２００は、位置情報検出センサー２４が出力する位置信号、生体情報検出センサー２６が出力する脈波信号および体動信号に基づいて、ユーザーの運動パフォーマンス（運動パフォーマンス情報）を算出する。
【００４０】
運動パフォーマンスには、スプリットタイム、ラップタイム、走行距離、走行ペース、スピード、ストライド、予想到達時間、標高、消費カロリー、ピッチおよび心拍数等の少なくとも１つを含む。
【００４１】
運動パフォーマンス算出部２００は、上記の運動パフォーマンスの少なくとも１つを算出する。位置情報検出センサー２４が出力する位置信号が、位置算出に用いる情報（例えば、衛星軌道情報、中間周波数にダウンコンバートされた信号等）である場合には、位置信号に基づいて現在の位置情報を算出する。尚、測位衛星から送信される衛星信号に基づいて位置情報を算出する方法は、公知であるため詳細な説明を省略する。
【００４２】
また、運動パフォーマンス算出部２００は、生体情報検出センサー２６が出力する脈波信号および体動信号に基づいて、生体情報や体動情報を算出する。尚、脈波信号および体動信号から生体情報や体動情報を算出する方法は、例えば、特開２０１３−２０８３１１号公報に開示されている方法を適用できる。
【００４３】
また、運動パフォーマンス算出部２００は、ランニング計測装置１０が備えるリアルタイムクロック（ＲＴＣ：Real Time Clock）ＩＣ等から、年、月、日、時、分、秒等の時刻情報を生成する。
【００４４】
運動パフォーマンス算出部２００は、イベント動作決定部２０４から送られる動作指示を受け付けた場合、指示された運動パフォーマンスに応じて、位置情報、生体情報や体動情報を算出し、設定情報や時刻情報を取得して、指示された運動パフォーマンスを算出する。そして、運動パフォーマンス算出部２００は、算出した運動パフォーマンス結果を表示画面生成部２０２に出力したり、記憶部２９に記憶したりする。
【００４５】
表示画面生成部２０２は、イベント動作決定部２０４から送られる動作指示に基づいて、表示パネル１４に表示する画面を生成し、生成した画面を表示パネル１４に表示させる。
また、表示画面生成部２０２は、イベント動作決定部２０４から運動パフォーマンスに関する動作指示を受け付けた場合、運動パフォーマンス算出部２００から出力される運動パフォーマンス結果に基づいて、運動パフォーマンスの結果画面を生成し、生成した結果画面を表示パネル１４に表示させる。
【００４６】
イベント動作決定部２０４は、操作ボタン１６の操作を受け付け、押下された操作ボタン１６に応じて動作指示を生成し、生成した動作指示を運動パフォーマンス算出部２００、表示画面生成部２０２、通信制御部２０８および起動制御部２１０等に送る。
【００４７】
また、イベント動作決定部２０４は、操作ボタン１６によるショートカット操作を受け付けた場合、ショートカット操作が有効であるか、否かをショートカット判定部２０６に問い合わせ、ショートカット操作が有効であると判定された場合、予め決められたショートカットに対応する動作指示を運動パフォーマンス算出部２００、表示画面生成部２０２、通信制御部２０８および起動制御部２１０等に送る。
【００４８】
尚、本実施形態では、イベント動作決定部２０４は、ショートカット操作が無効である場合、ショートカット操作に対して応答を無効にする。即ち、ショートカットに対応する動作指示を出力しないか、または、ショートカット操作を受け付けない。
【００４９】
ショートカット判定部２０６は、ショートカット操作が有効であるか、または、無効であるかを判定するためのパラメーターであるショートカット情報として記憶部２９に記憶し、イベント動作決定部２０４からの問い合わせに応じて記憶部２９から読み出して応答を決定する。
ショートカット判定部２０６およびイベント動作決定部２０４によるショートカット操作については、後述する。
【００５０】
通信制御部２０８は、イベント動作決定部２０４から通信指示を受け付けた場合、近距離無線通信部２２を制御して情報端末と通信する。本実施形態では、記憶部２９に記憶している運動パフォーマンス結果を情報端末に送信し、情報端末は、受信した運動パフォーマンス結果に基づいて統計処理等をアプリケーションで行う態様を想定する。
【００５１】
起動制御部２１０は、イベント動作決定部２０４から起動指示や終了指示を受け付けた場合、受け付けた指示に応じて電源部２８を制御し、ランニング計測装置１０の起動やシャットダウンを行う。
【００５２】
尚、本実施形態では、操作ボタン１６Ａの長押しによるショートカット操作により、ランニング計測装置１０の起動やシャットダウンを行うが、ショートカット情報でショートカット操作が無効に設定されている場合であっても、起動やシャットダウンのように電源の供給に関するショートカット操作は有効になる。これにより、ランニング計測装置１０の起動やシャットダウンを迅速かつ容易に行える。また、電源の供給がショートカット操作のみによって制御される場合、ショートカット操作を無効にしたことで、ランニング計測装置１０の起動やシャットダウンができなくなることを防止できる。
【００５３】
（３）メニュー画面の遷移
図３は、メニュー画面の遷移およびショートカット操作の一例を示す図である。この場合、初期状態として表示パネル１４には時計画面１００が表示されている。
最初に、ショートカット操作が無効である場合の画面遷移について説明する。
【００５４】
時計画面１００が表示されている場合、ユーザーが、例えば、操作ボタン１６Ｄを押下すると、処理部２０は、時計画面１００に替えてメニュー画面（図示は略す。）を表示パネル１４に表示する。このメニュー画面は、階層構造を有する階層画面（メニュー）のうち、最上位の階層（階層１）のメニュー画面であり、選択肢として、「項目Ａ」、「項目Ｂ」、「項目Ｃ」および「戻る」が選択可能に表示される。なお、本例では時計画面１００は階層画面に含めていないが、時計画面が階層画面の最上位の階層であってもよい。
【００５５】
ここで、ユーザーが「項目Ｂ」をボタン操作によって選択した場合、処理部２０は、次位の階層（階層２）のメニュー画面を表示する。このメニュー画面の選択肢は、「項目Ｂ１」、「項目Ｂ２」、「項目Ｂ３」および「戻る」が選択可能に表示される。
尚、本実施形態では、操作ボタン１６Ｃを押下すると、メニュー画面内の上方の選択肢が選択候補になる。また、操作ボタン１６Ｃを押下すると、メニュー画面内の下方の選択肢が選択候補になる。そして、操作ボタン１６Ａを押下すると、選択候補の選択肢が決定される。
【００５６】
ここで、ユーザーが「項目Ｂ３」をボタン操作によって選択した場合、処理部２０は、下位の階層（階層３）のメニュー画面を表示する。このようにして、階層３のメニュー画面は、階層１のメニュー画面から複数の操作で到達できる。
このメニュー画面は、階層２の「項目Ｂ３」に対する設定画面であり、選択肢は、「設定ＯＮ」または「設定ＯＦＦ」である。ユーザーが何れかを選択すると、処理部２０は設定を決定し、階層２のメニュー画面に戻す。
尚、ユーザーが「項目Ｂ」、「項目Ｂ３」、および、「設定ＯＮ」または「設定ＯＦＦ」を選択する動作（操作ボタン１６の操作または操作入力）が第１の入力に相当し、「設定ＯＮ」または「設定ＯＦＦ」に応じた処理部２０の設定が第１の処理に相当する。
【００５７】
更に、ユーザーが階層２のメニュー画面において「戻る」を選択して階層１のメニュー画面に戻り、階層１のメニュー画面において「戻る」を選択することで、処理部２０は、初期状態、即ち、表示パネル１４に時計画面１００を表示させる。
【００５８】
次に、ショートカット操作が有効である場合の画面遷移について説明する。
第１の画面、即ち、時計画面１００が表示されている場合、ユーザーが、第１の入力よりも操作回数が少ない入力操作、例えば、操作ボタン１６Ｃを長押しすると、処理部２０は、ショートカット判定部２０６に問い合わせて、ショートカット操作が有効であるとの判定結果を得る。これにより、処理部２０は、階層１および階層２を飛び越して、第２の画面、即ち、階層３のメニュー画面を表示パネル１４に表示する。なお、第２の画面は、後述するように、階層３の画面には限定されない。
【００５９】
ここで、ユーザーが階層３のメニュー画面から何れかの選択肢を選択し、更に操作ボタン１６Ａを長押しすることにより、処理部２０は、選択した設定を決定し、表示パネル１４に時計画面１００を表示する第１の階層画面に遷移する。
尚、操作ボタン１６Ｃおよび操作ボタン１６Ａの長押し（ショートカット操作の一例）は第２の入力に相当する。
このように、所定の操作ボタン１６を長押しすることにより、遷移した画面から初期状態の画面に復元させる例としては、以下のような態様も想定できる。
【００６０】
１．運動パフォーマンス算出部２００が運動パフォーマンスの算出を一時的に停止している場合、または、運動パフォーマンス算出部２００が運動パフォーマンスの算出を行っている場合に、所定の操作ボタン１６を長押しすることで、それまでに算出した運動パフォーマンスのデータを記憶部２９に記憶し、時計画面１００等に戻る。この場合、一時的に停止しているときに表示される画面、または、運動パフォーマンスの算出中に表示される画面が第２の画面に相当してもよい。メニュー画面形式で時計画面１００に戻るには、戻るか否かの選択を行う画面や、戻って良いか否かを確認する画面を表示し、ユーザーがボタン操作によって選択または確認を行う。
【００６１】
２．運動パフォーマンス算出部２００が算出した運動パフォーマンスを表示パネル１４に表示して場合や、履歴を表示パネル１４に表示して場合、言い換えると、ユーザーがこれらの情報に関して表示パネル１４を見て確認しているときに、所定の操作ボタン１６を長押しすることで時計画面１００等に戻る。
【００６２】
また、初期状態の画面への復元以外の例として、時計画面１００等において所定の操作ボタン１６を長押しすることで、通信制御部２０８が近距離無線通信部２２に対して無線通信を開始させる態様も想定できる。
【００６３】
また、さらに他の例として、時計画面１００等において所定の操作ボタン１６を長押しすることで、運動パフォーマンス算出部２００に運動パフォーマンスの算出や記録を開始させたり、位置情報検出センサー２４や生体情報検出センサー２６に検出を開始させたりする態様も想定できる。
【００６４】
このように、ショートカットを適用することにより、初期状態から設定画面に迅速に遷移できることに加え、設定画面から初期状態へも迅速に遷移できる。特に、初期状態に遷移させる場合、各階層においてユーザーが「戻る」を選択する手間を省ける。
【００６５】
（４）ショートカット操作の設定
本実施形態では、ユーザーは、操作ボタン１６を操作して第１の設定を行うことで、ショートカットの無効を示すショートカット情報を設定できる。また、ユーザーは、操作ボタン１６を操作して第２の設定を行うことで、ショートカットの有効を示すショートカット情報を設定できる。図４は、ショートカットを有効にする手順を説明する図である。
【００６６】
時計画面１００が表示されている場合、ユーザーが、例えば、操作ボタン１６Ｄを押下すると、処理部２０は、時計画面１００に替えてメインメニュー画面１１０を表示パネル１４に表示する。このメインメニュー画面１１０は、最上位の階層のメニューであり、選択肢として、「プロフィール」、「システム設定」等が選択可能に表示される。
【００６７】
ここで、ユーザーは「システム設定」を選択し、処理部２０は、システム設定メニュー画面１２０を表示パネル１４に表示する。このシステム設定メニュー画面１２０の選択肢は、「表示設定」、「ショートカット」、「操作音」等が選択可能に表示される。
【００６８】
ここで、ユーザーは「ショートカット」を選択し、処理部２０は、ショートカットメニュー画面１３０を表示する。このショートカットメニュー画面１３０の選択肢は、ショートカットに対する「オン」または「オフ」である。ユーザーが「オン」を選択すると、処理部２０はショートカット操作を有効に設定する。また、ユーザーが「オフ」を選択すると、処理部２０はショートカット操作を無効に設定する。
【００６９】
ここで、ユーザーは「オン」、即ち、ショートカット操作の有効を選択することで、以降のショートカットは有効になる。従って、ショートカットメニュー画面１３０において、初期状態に戻るショートカット操作、この場合、操作ボタン１６Ａの長押し、を行った場合、処理部２０は、システム設定メニュー画面１２０およびメインメニュー画面１１０を飛び越して、表示パネル１４に時計画面１００を表示する初期状態に遷移する。
【００７０】
尚、ランニング計測装置１０の工場出荷時は、ショートカット操作は有効であっても良く、無効であっても良い。有効である場合、ユーザーはランニング計測装置１０を最初に起動したときからショートカット操作を利用できるので、操作の手間が省ける。また、無効である場合、ショートカットに不慣れなユーザーによる間違いを回避できる。
【００７１】
また、本実施形態では、操作ボタン（１６Ａ，１６Ｂ，１６Ｃ，１６Ｄ）の１つを長押し、即ち、所定時間を越えて押し続けた状態、をショートカット操作のトリガーとするが、これには限定されない。例えば、操作ボタン（１６Ａ，１６Ｂ，１６Ｃ，１６Ｄ）の２つ以上を同時に長押しした場合をトリガーとしても良い。また、操作ボタン（１６Ａ，１６Ｂ，１６Ｃ，１６Ｄ）の１つを長押しした状態で、他の１つを押下する場合も想定できる。
【００７２】
また、入力部としてタッチパネルを更に備える場合、所定の領域の長押しや、所定の領域のピンチ操作であっても良い。また、音声入力に対応する場合、所定のキーワードの認識であっても良い。また、操作ボタン（１６Ａ，１６Ｂ，１６Ｃ，１６Ｄ）、タッチパネルおよび音声入力の少なくとも２つからの同時入力であっても良い。また、通常の入力操作はタッチパネルおよび音声入力の何れかで行い、ショートカット操作は操作ボタン（１６Ａ，１６Ｂ，１６Ｃ，１６Ｄ）で行うように分担させた態様も想定できる。
【００７３】
以上述べた実施形態によれば、以下のような効果を奏する。
（１）ランニング計測装置１０は、ショートカット操作が有効であるか、または、無効であるかを示すショートカット情報を記憶部２９に記憶しておき、記憶したショートカット情報に基づいてショートカットを実行する。従って、ランニング計測装置１０の操作に慣れたユーザーは、ショートカット操作を有効にすることにより、所望の機能を迅速に実行させることができる。一方で、ランニング計測装置１０の操作に不慣れなユーザーは、ショートカット操作を無効にすることにより、ショートカット操作を習得する手間が省けると共に、誤操作を回避できる。
【００７４】
（２）ランニング計測装置１０は、ショートカット操作が有効である場合、メインメニュー画面１１０から所定の画面に遷移させる一方の方向へのショートカットに加えて、所定の画面からメインメニュー画面１１０へ遷移させる方向とは逆方向のショートカットもできることから、両方向のショートカットが可能になるため、ユーザーは、所望の機能を実行させた後、メインメニュー画面１１０に迅速に復元させることができる。
以上、本発明を図示した実施形態に基づいて説明したが、本発明は、本実施形態に限定されるものではなく、以下に述べるような変形例も想定できる。
【００７５】
（１）ショートカット操作が有効であるか、または、無効であるかを示す情報を表示パネル１４に表示しても良い。例えば、表示パネル１４がカラー表示可能な場合、一部領域の色変化で表示しても良い。また、ランニング計測装置１０がＬＥＤ（Light Emitting Diode）のような光源を具備し、ショートカット操作の有効／無効をＬＥＤの点灯で示しても良い。
【００７６】
（２）ランニング計測装置１０上で設定するショートカット情報は、情報端末から通信を介して設定できても良い。また、ショートカット情報をユーザー毎に記憶部２９に記憶しておき、ランニング計測装置１０を使用するユーザーに応じてショートカット情報を切り替えても良い。これにより、ショートカットの有効／無効をユーザー毎に設定できる。
【００７７】
（３）ランニング計測装置１０のショートカット操作により短絡される機能は、仕様として予め決定されているが、情報端末からの設定等によりユーザーが設定できても良い。
【００７８】
（４）ショートカット情報は、メインメニュー画面１１０から所定の画面に遷移させる操作と、所定の画面からメインメニュー画面１１０にショートカットして遷移させる操作と、を個別に有効／無効に設定しても良い。これにより、一方の操作および他方の操作の有効／無効を個別に設定できる。
【００７９】
（５）運動パフォーマンス計測装置として、腕時計の形態のランニング計測装置１０を想定したが、これには限定されない。例えば、サイクルコンピューター、リスト型電子機器、イヤホン型電子機器、指輪型電子機器、ペンダント型電子機器、スポーツ器具に装着して使用する電子機器、スマートフォン、ヘッドマウントディスプレイ（ＨＭＤ：Head Mount Display）のように、運動中に操作可能な様々な態様を想定できる。
【００８０】
（６）運動パフォーマンス計測装置は、運動パフォーマンスの算出に利用可能な任意のセンサーを少なくとも１つ含めばよい。例えば、圧力センサー、速度センサー、地磁気センサー、加速度センサー、ジャイロセンサー、歩数計、パワーメーター、温度センサー、湿度センサー等を含んでもよい。なお、運動パフォーマンスを算出する処理部２０と、センサーとが別体の装置から構成され、センサーと処理部とが通信することによって運動パフォーマンス計測装置または運動パフォーマンス計測システムとして機能してもよい。
【００８１】
また、図２に示した処理部２０の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。
【符号の説明】
【００８２】
１０…ランニング計測装置、１２…筐体部、１４…表示パネル、１６，１６Ａ，１６Ｂ，１６Ｃ，１６Ｄ…操作ボタン、２０…処理部、２２…近距離無線通信部、２４…位置情報検出センサー、２６…生体情報検出センサー、２８…電源部、２９…記憶部、１００…時計画面、１１０…メインメニュー画面、１２０…システム設定メニュー画面、１３０…ショートカットメニュー画面、２００…運動パフォーマンス算出部、２０２…表示画面生成部、２０４…イベント動作決定部、２０６…ショートカット判定部、２０８…通信制御部、２１０…起動制御部。
【図１】
2017127458.tif 000003
【図２】
2017127458.tif 000004
【図３】
2017127458.tif 000005
【図４】
2017127458.tif 000006